(57)【要約】【課題】効果的な次亜塩素酸の殺菌水を自由に取り出すことができる衛生洗浄装置を提供することを目的とする。【解決手段】本体外部にある吐水口４８４と、給水源１０から供給された水を前記吐水口４８４に導く流路２０と、前記流路２０の途中に設けられ、殺菌水を生成可能な殺菌水生成部４５０と、前記殺菌水生成部４５０の動作を制御して、前記吐水口４８４から殺菌水を吐水する制御部４０５とを備えた衛生洗浄装置である。この衛生洗浄装置により、効果的な次亜塩素酸の殺菌水を自由に取り出すことができる衛生洗浄装置を提供することができる。【選択図】図１
2015190241.tif 000002
【特許請求の範囲】
【請求項１】
本体外部にある吐水口と、
給水源から供給された水を前記吐水口に導く流路と、
前記流路の途中に設けられ、殺菌水を生成可能な殺菌水生成部と、
前記殺菌水生成部の動作を制御して、前記吐水口から殺菌水を吐水する制御部と、
を備えたことを特徴とする衛生洗浄装置。
【発明の詳細な説明】
【技術分野】
【０００１】
本発明の態様は、一般的に、衛生洗浄装置に関し、具体的には便器を殺菌あるいは洗浄可能な衛生洗浄装置に関する。
【背景技術】
【０００２】
衛生洗浄装置の普及率は高まり、最近では、衛生洗浄装置は公共施設においても利用されている。ここで、便座に座った使用者の「おしり」などの身体を洗浄する洗浄ノズルは、その洗浄ノズルや温水タンクなどの所定の機能部品を取り付けるケーシングから少なくとも一部を外部に露出（進出）した状態で身体に洗浄水を噴射する。そのため、洗浄ノズルには汚水や汚物が付着する恐れがある。これに対して、身体洗浄を行う前や行った後において、洗浄ノズルに付着した汚水や汚物を洗い流し除去する衛生洗浄装置がある。これにより、洗浄ノズルは清潔に保たれている。
【０００３】
これに対して、さらに清潔性を高めるために、ノズル洗浄水生成部として電解槽が組み込まれた局部洗浄装置がある（特許文献１）。特許文献１に記載された局部洗浄装置では、洗浄水として水道水を使ったときには、この中に含まれる塩素が電気分解によって次亜塩素酸に化学変化し、酸性の薬液としてクリーニングすることができる。このため、特にアンモニア等による汚れに対してさらに効果的なクリーニングが可能となる。
【０００４】
また、次亜塩素酸を大便器に吐出するノズル機能を有する便座装置がある（特許文献２）。特許文献１に記載された便座装置は、ノズル機構から大便器のボウル空間全体に次亜塩素酸を吐出し、大便器を清掃することができる。
【０００５】
特許文献１や特許文献２では便器やノズルに対して殺菌水を使用しているが、殺菌水を局部洗浄装置の外部に取り出したいという要望があるが、特許文献１や特許文献２の構成では、殺菌水を外部に取り出しにくいという問題があった。
【先行技術文献】
【特許文献】
【０００６】
【特許文献１】特開平８−９３０３４号公報
【特許文献２】特開２０００−１４４８４６号公報
【発明の概要】
【発明が解決しようとする課題】
【０００７】
本発明は、かかる課題の認識に基づいてなされたものであり、殺菌水を自由に取り出すことができる衛生洗浄装置を提供することを目的とする。
【課題を解決するための手段】
【０００８】
第１の発明は、本体外部にある吐水口と、給水源から供給された水を前記吐水口に導く流路と、前記流路の途中に設けられ、殺菌水を生成可能な殺菌水生成部と、前記殺菌水生成部の動作を制御して、前記吐水口から殺菌水を吐水する制御部と、を備えたことを特徴とする衛生洗浄装置である。
【０００９】
この衛生洗浄装置によれば、使用者が殺菌水を取り出し、使用者の自由な用途で使用することができる。
【発明の効果】
【００１０】
本発明によれば殺菌水を自由に取り出すことができる衛生洗浄装置が提供される。
【図面の簡単な説明】
【００１１】
【図１】本発明の実施の形態にかかる衛生洗浄装置を備えたトイレ装置を表す斜視模式図である。
【図２】本実施形態にかかる衛生洗浄装置の要部構成を表すブロック図である。
【図３】本実施形態の電解槽ユニットの具体例を例示する断面模式図である。
【発明を実施するための形態】
【００１２】
以下、本発明の実施の形態について図面を参照しつつ説明する。なお、各図面中、同様の構成要素には同一の符号を付して詳細な説明は適宜省略する。  
図１は、本発明の実施の形態にかかる衛生洗浄装置を備えたトイレ装置を表す斜視模式図である。  
また、図２は、本実施形態にかかる衛生洗浄装置の要部構成を表すブロック図である。  なお、図２は、水路系と電気系の要部構成を併せて表している。
【００１３】
図１に表したトイレ装置は、洋式腰掛便器（以下説明の便宜上、単に「便器」と称する）８００と、その上に設けられた衛生洗浄装置１００と、を備える。衛生洗浄装置１００は、ケーシング４００と、便座２００と、便蓋３００と、を有する。便座２００と便蓋３００とは、ケーシング４００に対して開閉自在にそれぞれ軸支されている。
【００１４】
ケーシング４００の内部には、便座２００に座った使用者の「おしり」などの洗浄を実現する身体洗浄機能部などが内蔵されている。また、例えばケーシング４００には、使用者が便座２００に座ったことを検知する着座検知センサ４０４が設けられている。着座検知センサ４０４が便座２００に座った使用者を検知している場合において、使用者が例えばリモコンなどの操作部５００を操作すると、洗浄ノズル（以下説明の便宜上、単に「ノズル」と称する）４７３を便器８００のボウル８０１内に進出させることができる。なお、図１に表した衛生洗浄装置１００では、ノズル４７３がボウル８０１内に進出した状態を表している。
【００１５】
ノズル４７３の先端部には、ひとつあるいは複数の吐水口４７４が設けられている。そして、ノズル４７３は、その先端部に設けられた吐水口４７４から水を噴射して、便座２００に座った使用者の「おしり」などを洗浄することができる。なお、本願明細書において「水」という場合には、冷水のみならず、加熱されたお湯も含むものとする。
【００１６】
より具体的に説明すると、本実施形態にかかる衛生洗浄装置１００は、図２に表したように、水道や貯水タンクなどの給水源１０から供給された水をノズル４７３の吐水口４７４に導く流路２０を有する。流路２０の上流側には、電磁弁（給水制御部）４３１が設けられている。電磁弁４３１は、開閉可能な電磁バルブであり、ケーシング４００の内部に設けられた制御部４０５からの指令に基づいて水の供給を制御する。
【００１７】
電磁弁４３１の下流には、熱交換器ユニット４４０が設けられている。熱交換器ユニット４４０は、温水ヒータ４４１を有する。温水ヒータ４４１は、供給された水を加熱し、所定の温水にする。なお、温水温度については、例えば、使用者が操作部５００を操作することにより設定することができる。
【００１８】
温水ヒータ４４１の下流には、殺菌水を生成可能な電解槽ユニット（殺菌水生成部）４５０が設けられている。使用者が操作部５００に設けられた殺菌スイッチ５１０を押すと、制御部４０５は、電解槽ユニット４５０に殺菌水を生成させる制御を実行する。電解槽ユニット４５０において生成された殺菌水は、殺菌水供給室４８０の吐水部（図示しない）から衛生洗浄装置外部へ向かって噴射される。これにより、電解槽ユニット４５０よりも下流側の流路２０および後述する分岐路２３や、殺菌水供給室４８０の吐水部の部分は、殺菌水により殺菌され、吐水部より殺菌水を取り出すことができる。すなわち、殺菌スイッチ５１０には、殺菌水供給室４８０の動作の指示が入力される。そして、使用者は、殺菌スイッチ５１０を押して殺菌水供給室４８０の動作を指示することにより、殺菌水を取り出すことができる。電解槽ユニット４５０については、後に詳述する。
【００１９】
電解槽ユニット４５０の下流には、水勢（流量）の調整を行う流量切替弁４７１と、ノズル４７３やノズル洗浄室４７８や殺菌水供給室４８０への給水の開閉や切替を行う流路切替弁４７２と、が設けられている。なお、流量切替弁４７１および流路切替弁４７２は、１つのユニットとして設けられていてもよい。
【００２０】
続いて、流量切替弁４７１および流路切替弁４７２の下流には、ノズル４７３が設けられている。ノズル４７３は、ノズルモータ４７６からの駆動力を受け、便器８００のボウル８０１内に進出したり後退することができる。つまり、ノズルモータ４７６は、制御部４０５からの指令に基づいてノズル４７３を進退させることができる。一方、ノズル洗浄室４７８は、その内部に設けられた吐水部４７９から殺菌水あるいは水を噴射することにより、ノズル４７３の外周表面を殺菌あるいは洗浄することができる。殺菌水供給室４８０は、その内部に設けられた吐水部から殺菌水を噴射することにより、使用者が自由に殺菌水を使用することができる。吐水部３８１は前記ノズル４７３の吐水部とは異なる。
【００２１】
ここで、流路切替弁４７２の下流には、流路切替弁４７２とノズル洗浄室４７８と殺菌水供給室４８０とを接続する分岐路２２が設けられている。つまり、分岐路２２と分岐路２３は、流路２０から分岐している。分岐路２２は、給水源１０から供給される水や、電解槽ユニット４５０において生成される殺菌水をノズル洗浄室４７８と殺菌水供給室４８０に導くことができる。すなわち、制御部４０５は、流路切替弁４７２を制御することにより、流路２０を通してノズル４７３の吐水口４７４に水や殺菌水を導いたり、分岐路２２を通してノズル洗浄室４７８の吐水部４７９に水や殺菌水を導いたり、分岐路２３を通して殺菌水供給室４８０の吐水部４８１に水や殺菌水を導いたりすることができる。そして、分岐路２３を通して殺菌水供給室４８０の吐水部に導かれた殺菌水は、衛生洗浄装置外部へ向かって噴射される。
【００２２】
制御部４０５は、電源回路４０１から電力を供給され、トイレ室への使用者の入室を検知する入室検知センサ４０２や、便座２００の前方にいる使用者を検知する人体検知センサ４０３や、便座２００への使用者の着座を検知する着座検知センサ４０４や、操作部５００などからの信号に基づいて、電磁弁４３１や、温水ヒータ４４１や、電解槽ユニット４５０や、流量切替弁４７１や、流路切替弁４７２や、ノズルモータ４７６やの動作を制御することができる。
【００２３】
着座検知センサ４０４は、使用者が便座２００に着座する直前において便座２００の上方に存在する人体や、便座２００に着座した使用者を検知することができる。すなわち、着座検知センサ４０４は、便座２００に着座した使用者だけではなく、便座２００の上方に存在する使用者を検知することができる。このような着座検知センサ４０４としては、例えば、赤外線投受光式の測距センサなどを用いることができる。
【００２４】
また、人体検知センサ４０３は、便器８００の前方にいる使用者、すなわち便座２００から前方へ離間した位置に存在する使用者を検知することができる。つまり、人体検知センサ４０３は、トイレ室に入室して便座２００に近づいてきた使用者を検知することができる。このような人体検知センサ４０３としては、例えば、赤外線投受光式の測距センサなどを用いることができる。
【００２５】
また、入室検知センサ４０２は、トイレ室のドアを開けて入室した直後の使用者や、トイレ室に入室しようとしてドアの前に存在する使用者を検知することができる。つまり、入室検知センサ４０２は、トイレ室に入室した使用者だけではなく、トイレ室に入室する前の使用者、すなわちトイレ室の外側のドアの前に存在する使用者を検知することができる。このような入室検知センサ４０２としては、焦電センサや、ドップラーセンサなどのマイクロ波センサなどを用いることができる。マイクロ波のドップラー効果を利用したセンサや、マイクロ波を送信し反射したマイクロ波の振幅（強度）に基づいて被検知体を検出するセンサなどを用いた場合、トイレ室のドア越しに使用者の存在を検知することが可能となる。つまり、トイレ室に入室する前の使用者を検知することができる。
【００２６】
図１に表したトイレ装置では、ケーシング４００の上面に凹設部４０９が形成され、この凹設部４０９に一部が埋め込まれるように入室検知センサ４０２が設けられている。入室検知センサ４０２は、便蓋３００が閉じた状態では、その基部付近に設けられた透過窓３１０を介して使用者の入室を検知する。そして、例えば、入室検知センサ４０２が使用者を検知すると、制御部４０５は、入室検知センサ４０２の検知結果に基づいて便蓋３００を自動的に開く制御を実行することができる。また、着座検知センサ４０４および人体検知センサ４０３は、ケーシング４００の前方の中央部に設けられている。但し、着座検
知センサ４０４、人体検知センサ４０３、および入室検知センサ４０２の設置形態は、これだけに限定されるわけではなく、適宜変更することができる。
【００２７】
また、ケーシング４００には、便座２００に座った使用者の「おしり」などに向けて温風を吹き付けて乾燥させる「温風乾燥機能」や「脱臭ユニット」や「室内暖房ユニット」などの各種の機構が適宜設けられていてもよい。この際、ケーシング４００の側面には、脱臭ユニットからの排気口４０７及び室内暖房ユニットからの排出口４０８が適宜設けられる。ただし、本発明においては、衛生洗浄機能部やその他の付加機能部は必ずしも設けなくてもよい。
【００２８】
次に、本実施形態の電解槽ユニットについて、図面を参照しつつ説明する。  
図３は、本実施形態の電解槽ユニットの具体例を例示する断面模式図である。
【００２９】
電解槽ユニット４５０は、図３に表したように、その内部に陽極板４５１および陰極板４５２を有し、制御部４０５からの通電の制御によって、内部を流れる水道水を電気分解できる。ここで、水道水は、塩素イオンを含んでいる。この塩素イオンは、水源（例えば、地下水や、ダムの水や、河川などの水）に食塩（ＮａＣｌ）や塩化カルシウム（ＣａＣｌ２）として含まれている。そのため、その塩素イオンを電気分解することにより次亜塩素酸が生成される。その結果、電解槽ユニット４５０において電気分解された水は、次亜塩素酸を含む液に変化する。
【００３０】
次亜塩素酸は、殺菌成分として機能し、その次亜塩素酸を含む液すなわち殺菌水は、アンモニアなどによる汚れを効率的に除去あるいは分解したり、殺菌することができる。ここで、本願明細書において「殺菌水」とは、次亜塩素酸などの殺菌成分を水道水（単に「水」ともいう）よりも多く含む液をいうものとする。次亜塩素酸水は濃度を３ｐｐｍ以上で殺菌効果を発揮し、１００ｐｐｍなると流路に使用するチューブやシール部材の劣化が起こる。そのため、殺菌水は、３ｐｐｍ〜１００ｐｐｍで調整された殺菌水が望ましい。
【００３１】
このように、熱交換器ユニット４４０から供給された水道水は、電解槽ユニット４５０において電気分解されて次亜塩素酸を含む液となり、殺菌水供給室４８０に通水される。
【符号の説明】
【００３２】
１０ 給水源、  ２０ 流路、  ２２ 分岐路、  ２３ 分岐路、  １００ 衛生洗浄装置、  ２００ 便座、  ３００ 便蓋、  ３１０ 透過窓、  ４００ ケーシング、  ４０１ 電源回路、  ４０２ 入室検知センサ、  ４０３ 人体検知センサ、  ４０４ 着座検知センサ、  ４０５ 制御部、    ４０９ 凹設部、  ４３１ 電磁弁、  ４４０ 熱交換器ユニット、  ４４１ 温水ヒータ、  ４５０ 電解槽ユニット、  ４５１ 陽極板、  ４５２ 陰極板、  ４７１流量切替弁、  ４７２ 流路切替弁、  ４７３ ノズル、  ４７４ 吐水口、    ４７６ ノズルモータ、  ４７８ ノズル洗浄室、４８０、殺菌水供給室  ５００ 操作部、  ５１０ 殺菌スイッチ、  ８００ 便器、  ８０１ ボウル
【図１】
2015190241.tif 000003
【図２】
2015190241.tif 000004
【図３】
2015190241.tif 000005